(57)【要約】【課題】  大画面で画像を表示することを可能とし、且つ、必要に応じた大きさの画像を表示することを可能とし、さらに、各種イベントにおいてモニターとして使い勝手のよい画像表示装置を提供すること。【解決手段】  画像の表示が可能な複数のユニットパネルと、先端にユニットパネルが各１つ取り付けられ、ユニットパネルの配置位置を移動させることが可能な複数のアームと、画像データを外部から受信する受信部と、受信部により受信した画像データに基づいた画像を、ユニットパネルに表示する制御を行う表示制御部とを備え、表示制御部は、各ユニットパネルに１画面分の画像を表示するとともに、複数のユニットパネルの全部又は一部が連続的に配置されることにより１の表示パネルを形成している場合には、当該表示パネルに、１画面分の画像を表示する制御を行う画像表示装置。【選択図】    図１
2007279491.tif 000002
【特許請求の範囲】
【請求項１】
画像の表示が可能な複数のユニットパネルと、
先端に前記ユニットパネルが各1つ取り付けられ、前記ユニットパネルの配置位置を移動させることが可能な複数のアームと、
画像データを外部から受信する受信部と、
前記受信部により受信した画像データに基づいた画像を、前記ユニットパネルに表示する制御を行う表示制御手部と
を備え、
前記表示制御手部は、前記各ユニットパネルに１画面分の画像を表示するとともに、前記複数のユニットパネルの全部又は一部が連続的に配置されることにより１の表示パネルを形成している場合には、当該表示パネルに、１画面分の画像を表示する制御を行うことを特徴とする画像表示装置。
【請求項２】
前記複数のユニットパネルを配置する位置を入力可能な位置入力部と、
前記複数のアームを動作させるための駆動部と、
前記駆動部により前記アームを動作させ、前記位置入力部から入力された位置に各ユニットパネルを配置する制御を行う配置制御部と
を設けたことを特徴とする請求項１に記載の画像表示装置。
【請求項３】
前記複数のアームは、１の支柱に設けられていることを特徴とする請求項１又は２に記載の画像表示装置。
【請求項４】
画像の表示が可能な複数のユニットパネルと、
先端に前記ユニットパネルが各1つ取り付けられ、前記ユニットパネルの配置位置を移動させることが可能な複数のアームと、
前記複数のアームを動作させるための駆動部と、
１画面とするユニットパネル数を示すパネル数情報を含む画像データを外部から受信する受信部と、
前記駆動部により前記アームを動作させ、前記受信部により受信したパネル数情報に応じた数の前記ユニットパネルを連続的に配置して１の表示パネルを形成する制御を行う配置制御部と、
前記受信部により受信した画像データに基づいた画像を、前記ユニットパネルに表示する制御を行う表示制御部と
を備え、
前記表示制御部は、前記配置制御部による配置制御により形成された前記表示パネルに１画面分の画像を表示する制御を行うことを特徴とする画像表示装置。
【発明の詳細な説明】
【技術分野】
【０００１】
本発明は、画像表示装置に関する。
【背景技術】
【０００２】
従来、迫力ある臨場感溢れる映像を楽しむことができることから、大画面を有する液晶テレビやプラズマテレビは、高い人気を集めている。しかしながら、例えば、液晶ディスプレイの製造行程において数ドット欠けてしまうと、他の大部分が欠けていなくとも、製品に採用することができなくなってしまうといった問題があるといったように、これらのテレビで用いられるディスプレイは、大型なものであるほど歩留りが悪くなり、生産効率が下がるといった問題があった。
【０００３】
また、近年では、各種のイベント（例えば、展示会等）において液晶モニタ等が使用されることが多くなってきており、その配置や画面の大きさに配慮することにより、来場者の注目を集めるといった手法がとられるようになってきている。
【０００４】
従来、Ｎ台の画面表示装置とを備えており、Ｎ台の画面表示装置がマルチ画面全体の画面データを受信すると、自己が接続されているディスプレイに対応する画面データをマルチ画面全体の画面データの中から選択し、その選択した画面データにしたがってディスプレイに画面画像を表示する大画面表示システムが存在する（例えば、特許文献１参照）。
【０００５】
特許文献１に記載の大画面表示システムであれば、各表示装置に表示された各画面画像が全体として１の画面画像を形成することができるため、生産効率の高い、比較的小型な画面表示装置を複数接続して大画面を得ることができる。また、多数の画面表示装置を接続することにより、より大画面を形成することができるため、各種のイベントにおいて来場者の注目を集めることができる。
【０００６】
【特許文献１】特開２００６−０３０６００号公報
【発明の開示】
【発明が解決しようとする課題】
【０００７】
しかしながら、特許文献１に記載の大画面表示システムでは、各表示装置に画像が表示されない外枠があるため、得られる画像は、複数に分断された画像となり、１のディスプレイにより得られる画像とは、その迫力や臨場感といった観点において大きく遜色のあるものであるといった問題があった。
【０００８】
また、各種のイベントにおいて画像表示装置に要求されているのは、大画面を有していることのみに止まらず、適宜必要な大きさの画像を表示することができることや、必要とする方向に画面を向けることができること等その幅は広いが、汎用されている表示装置や特許文献１に記載の大画面表示システムでは、これらの要望をすべて満たすことはできていないため、使い辛いといった問題があった。
【０００９】
本発明は、上述した課題に鑑みてなされたものであり、その目的は、大画面で画像を表示することを可能とし、且つ、必要に応じた大きさの画像を表示することを可能とし、さらに、各種イベントにおいてモニターとして使い勝手のよい画像表示装置を提供することにある。
【００１０】
以上のような目的を達成するために、本発明は、以下のようなものを提供する。
（１）  画像の表示が可能な複数のユニットパネルと、
先端に上記ユニットパネルが各1つ取り付けられ、上記ユニットパネルの配置位置を移動させることが可能な複数のアームと、
画像データを外部から受信する受信部と、
上記受信部により受信した画像データに基づいた画像を、上記ユニットパネルに表示する制御を行う表示制御部と
を備え、
上記表示制御部は、上記各ユニットパネルに１画面分の画像を表示するとともに、上記複数のユニットパネルの全部又は一部が連続的に配置されることにより１の表示パネルを形成している場合には、当該表示パネルに、１画面分の画像を表示する制御を行うことを特徴とする画像表示装置。
【００１１】
（１）の発明によれば、アームの先端にユニットパネルが各1つ取り付けられ、上記ユニットパネルの配置位置を移動させることが可能であるため、必要とする方向に画面を向けることが可能である。また、複数のユニットパネルの全部又は一部が連続的に配置されることにより１の表示パネルを形成している場合には、当該表示パネルに、１画面分の画像を表示するため、1のユニットパネルに表示する画像に比して大型な画像を表示することができる。このように、（１）の発明によれば、各ユニットパネルを必要とする方向に向けることができ、且つ、必要な大きさの画像を表示することができ、各種イベントにおいても使い勝手のよいモニターとして使用することが可能になる。また、デパートやショーウィンドウ等に商品紹介用として設置するのにも、使い勝手のよいモニターとして使用することが可能になる。
【００１２】
さらに、本発明は、以下のようなものを提供する。
（２）  上記（１）の画像表示装置であって、
上記複数のユニットパネルを配置する位置を入力可能な位置入力部と、
上記複数のアームを動作させるための駆動部と、
上記駆動部により上記アームを動作させ、上記位置入力部から入力された位置に各ユニットパネルを配置する制御を行う配置制御部と
を設けたことを特徴とする。
【００１３】
（２）の発明によれば、ユニットパネルを配置する位置が入力されると、アームを動作させ、入力された位置に各ユニットパネルを配置するため、各ユニットパネルを正確に楽に所望の位置へ配置することができる。
【００１４】
さらに、本発明は、以下のようなものを提供する。
（３）  上記（１）又は（２）の画像表示装置であって、
上記複数のアームは、１の支柱に設けられていることを特徴とする。
【００１５】
（３）の発明によれば、複数のアームが１の支柱に設けられているため、上記支柱を取り囲むようにユニットパネルを配置することが可能となり、どの方向からでもいずれかのユニットパネルに表示される画像を視認可能とすることができる。
【００１６】
さらに、本発明は、以下のようなものを提供する。
（４）  画像の表示が可能な複数のユニットパネルと、
先端に上記ユニットパネルが各1つ取り付けられ、上記ユニットパネルの配置位置を移動させることが可能な複数のアームと、
上記複数のアームを動作させるための駆動部と、
１画面とするユニットパネル数を示すパネル数情報を含む画像データを外部から受信する受信部と、
上記駆動部により上記アームを動作させ、上記受信部により受信したパネル数情報に応じた数の上記ユニットパネルを連続的に配置して１の表示パネルを形成する制御を行う配置制御部と、
上記受信部により受信した画像データに基づいた画像を、上記ユニットパネルに表示する制御を行う表示制御部と
を備え、
上記表示制御部は、上記配置制御部による配置制御により形成された上記表示パネルに１画面分の画像を表示する制御を行うことを特徴とする画像表示装置。
【００１７】
（４）の発明によれば、アームの先端にユニットパネルが各1つ取り付けられ、上記ユニットパネルの配置位置を移動させることが可能であるため、必要とする方向に画面を向けることが可能である。また、複数のユニットパネルの全部又は一部が連続的に配置されることにより１の表示パネルを形成している場合には、当該表示パネルに、１画面分の画像を表示するため、1のユニットパネルに表示する画像に比して大型な画像を表示することができる。このように、（４）の発明によれば、各ユニットパネルを必要とする方向に向けることができ、且つ、必要な大きさの画像を表示することができ、各種イベントにおいても使い勝手のよいモニターとして使用することが可能になる。
また、１画面とするユニットパネル数を示すパネル数情報を含む画像データを外部から受信すると、駆動部によりアームを動作させ、パネル数情報に応じた数のユニットパネルを連続的に配置して１の表示パネルを形成する。すなわち、画像データを受信すると、自動的に１画面として表示すべき画面の大きさに合わせるように、ユニットパネルを移動させて配置する。従って、人手をとらずに適宜、ユニットパネルを移動して配置し、画像データに応じた大きさの画像を複数のユニットパネル（表示パネル）に１画面として表示することが可能になる。また、例えば、複数の企業等に、当該企業等に係る画像を表示する時間枠を貸し出し、各時間枠毎に、各企業等が希望する大きさの画面サイズに変更して画像を表示するといったように、１の画像表示装置を用いて、時間帯毎に異なる画面サイズで画像を表示することが可能となる。
【発明の効果】
【００１８】
本発明によれば、大画面で画像を表示することを可能とし、且つ、必要に応じた大きさの画像を表示することを可能とし、さらに、各種イベントにおいてモニターとして使い勝手のよい画像表示装置を提供することが可能になる。
【発明を実施するための最良の形態】
【００１９】
［第１実施形態］
本発明の第１実施形態について図面を用いて説明する。
図１〜図３は、画像表示装置の一例を模式的に示す斜視図である。
画像表示装置１０は、支柱２０と、支柱２０の上段、中段、下段に各３つ設けられた、合計９本のロボットアーム１２と、ロボットアーム１２の各先端に１枚設けられた、合計９枚のユニットパネル１１とを有している。
【００２０】
各ロボットアーム１２は、アーム部１３と、アーム部１３の支柱２０側に設けられた支柱側可動部１４と、先端側（他端側）に設けられたパネル設置部１５とから構成されている。ロボットアーム１２は、本発明におけるアームに相当するものである。なお、ロボットアーム１２は、従来公知のロボットアームを採用することが可能であり、特に限定されるものではない。
支柱側可動部１４は、支柱２０を中心にして回転するように、支柱２０に取り付けられていて、支柱側可動部１４が回転することにより、ロボットアーム１２全体が、支柱２０を中心にして回転する。また、支柱側可動部１４には、回転軸１６が設けられていて、この回転軸１６を支点としてアーム部１４が上下動可能である。
【００２１】
パネル設置部１５には、各１枚ずつユニットパネル１１が取り付けられていて、回転軸１７を支点として上下動することにより、ユニットパネル１１の画面を上下方向に向けることが可能である。
【００２２】
ユニットパネル１１は、すべて同じ大きさの矩形形状をしており、図１、図２（ａ）、図２（ｂ）に示す画像表示装置１０では、各ユニットパネル１１に１画面分の画像が表示されている。
【００２３】
本発明におけるユニットパネルとしては、画像の表示が可能であれば特に限定されるものではないが、例えば、液晶パネルやプラズマパネルを挙げることができる。また、本発明におけるユニットパネルの寸法は、特に限定されないが、例えば、縦１６ｃｍ〜２４ｃｍ、横１８ｃｍ〜３０ｃｍであることが好ましい。
【００２４】
このように、ロボットアーム１２は、支柱側可動部１４とパネル設置部１５とを備えているため、各ユニットパネル１１を、支柱２０を中心として自由に配置することができる。従って、例えば、図１に示すように、上段のユニットパネル１１（１１ａ、１１ｂ、１１ｃ）の画面を上側から下側方向に向け、中段のユニットパネル１１（１１ｄ、１１ｅ、１１ｆ）の画面をそのまま中段からやや下側方向に向け、下段のユニットパネル１１（１１ｇ、１１ｈ、１１ｉ）の画面を下側から上側方向に向けることができ、図２（ａ）に示すように、上段のユニットパネル１１（１１ａ、１１ｂ、１１ｃ）の画面を上側からさらに上側方向に向け、中段のユニットパネル１１（１１ｄ、１１ｅ、１１ｆ）の画面をそのまま中段から正面方向に向け、下段のユニットパネル１１（１１ｇ、１１ｈ、１１ｉ）の画面を下側からさらに下側方向に向けることができる。
【００２５】
また、例えば、図２（ａ）に示したユニットパネル１１の画面方向を維持したまま、ロボットアーム１２を、支柱２０を中心にして回転移動させることにより、図２（ｂ）に示すように、ユニットパネル１１同士の間隔を変化させることができる。
【００２６】
図３（ａ）に示す画像表示装置１０では、上段、中段、下段のユニットパネル１１が縦に連続的に配置され、３枚で１の表示パネル３０を形成しており、表示パネル３０には、１の画像が表示されている。
【００２７】
また、図３（ｂ）に示す画像表示装置１０では、９枚すべてのユニットパネル１１が連続的に配置され、９枚で１の表示パネル３２を形成しており、表示パネル３２には、１の画像が表示されている。
【００２８】
図４は、画像表示装置の内部構成を示すブロック図である。
画像表示装置１０は、表示制御部としての画像処理コントローラ４０と、ケーブル６０を介して接続された９枚のユニットパネル１１と、アーム駆動回路４９を介して接続された９本のロボットアーム１２とから構成されている。
画像処理コントローラ４０は、予め設定されたプログラムに従って制御動作を行うＣＰＵ４１、各種プログラムを記憶するＲＯＭ４２、及び、各種のデータを一時的に記憶するＲＡＭ４３を有している。
【００２９】
また、画像処理コントローラ４０は、外部から利用者の操作を受け付ける操作部４８と、外部から画像データの入力を受信する受信部としての画像入力部４４と、受信した画像データを、表示画面サイズに応じた画素数を有する画素データに変換する画像変換部４５と、画像変換部４５で変換された画素データを書き込むフレームメモリ４６と、Ｄ／Ａ変換器４７とを有している。
画像入力部４４は、パーソナルコンピュータやパーソナルパーソナル・ディジタル・アシスタンツ等を接続し、これらの装置から画像データを受信することが可能である。
【００３０】
ＣＰＵ４１は、操作部４８を介してユニットパネル１１の移動操作入力を受け付けると、アーム駆動回路４９に接続された駆動部（図示せず）を駆動して、ロボットアーム１２を移動させ、当該操作に基づいた位置にユニットパネル１１を配置する。また、ＣＰＵ４１は、ユニットパネル１１の配置位置に基づいて、９枚のユニットパネル１１のうちの全部又は一部が連続的に配置されているか否かを判断し、連続的に配置されていると判断した場合には、その連続枚数を検出する。
【００３１】
画像変換部４５は、画素変換テーブルを複数記憶しており、ユニットパネル１１が連続的に配置されている判断された場合には、その連続枚数に応じた画素変換テーブルが選択されることにより、外部から受信した画像データを画面のサイズに応じた画素データに変換することができる。画素データは、１画面を構成するユニットパネル１１の合計ドット数に応じたデータである。従って、画素データに応じて、各ユニットパネルのドットを点灯することができ、画面の大きさ（ユニットパネルの枚数）に応じた画像を表示することが可能となる。
【００３２】
図５は、操作部が有する表示画面の一例を示す図である。
図５に示すように、位置入力部としての操作部が有する表示画面には、各ユニットパネル１１を配置する高さ、及び、各ユニットパネル１１の画面の向きを入力するためのテキストボックスが表示されている。利用者は、このテキストボックスに適宜数値等を入力することにより、各ユニットパネル１１を配置することができる。
【００３３】
また、表示画面の右下側には、「手動」、「全画面」というアイコンが表示されている。
「手動」が選択された場合には、各ロボットアーム１２を手動で移動させることが可能になる。また、「全画面」が選択された場合には、各ロボットアーム１２が動作し、図３（ｂ）に示すような、９枚のユニットパネル１１が連続的に配置されて１の表示パネル３２が形成される。
本発明において、ユニットパネルの位置（高さ、傾き等）の設定方法は特に限定されないが、例えば、高さについて、高さ６０ｃｍの位置に配置する場合には「１」、高さ９０ｃｍの高さに配置する場合には「２」といったように、所定の高さごとに予め設定された数値を入力することにより設定し、傾きについて、角度を入力することにより設定する方法を挙げることができる。
【００３４】
図６は、画像表示装置において行われる画面サイズ設定処理を示すフローチャートである。
まず、ＣＰＵ４１は、操作部４８を介して、ユニットパネル１１の移動操作入力を受け付ける（ステップＳ１０）。
次に、ステップＳ１１において、配置制御部としてのＣＰＵ４１は、ロボットアーム１２を動作させ、ステップＳ１０において入力された位置にユニットパネル１１を配置する。
【００３５】
次に、ステップＳ１２において、ＣＰＵ４１は、各ユニットパネル１１の位置を検出する。この処理において、ＣＰＵ４１は、ステップＳ１０における入力操作内容から各ユニットパネル１１の位置を検出する。
【００３６】
次に、ステップＳ１３において、ＣＰＵ４１は、各ユニットパネル１１の配置位置に基づいて、９枚のユニットパネル１１のうちの全部又は一部が連続的に配置されているか否かを判断し、連続的に配置されていると判断した場合には、その連続枚数を検出する。
【００３７】
次に、ステップＳ１４において、ＣＰＵ４１は、画素変換テーブルを、ステップＳ１３において検出したユニットパネルの枚数に応じた画素変換テーブルに切り換える。これにより、受信した画像データを、画面のサイズに応じた画素データに変換することが可能になる。
【００３８】
次に、ステップＳ１５において、ＣＰＵ４１は、各ユニットパネル１１の配置位置に基づいて、各ユニットパネル１１に表示する画像部分（画素データの部分）を指定する。すなわち、画素データのどのデータ部分を、どのユニットパネル１１に表示するかを指定する。例えば、９枚のユニットパネル１１が連続的に配置されていると検出した場合には、（図３（ｂ）参照）、ＣＰＵ４１は、画像データのうちの画面上段左側部分に相当するデータ部分を、ユニットパネル１１ａに表示すると指定し、画面上段中央部分に相当するデータ部分を、ユニットパネル１１ｂに表示すると指定し、画面上段右側部分に相当するデータ部分を、ユニットパネル１１ｃに表示すると指定し、画面中段左側部分に相当するデータ部分を、ユニットパネル１１ｄに表示すると指定し、画面中段中央部分に相当するデータ部分を、ユニットパネル１１ｅに表示すると指定し、画面中段右側部分に相当するデータ部分を、ユニットパネル１１ｆに表示すると指定し、画面下段左側部分に相当するデータ部分を、ユニットパネル１１ｇに表示すると指定し、画面下段中央部分に相当するデータ部分を、ユニットパネル１１ｈに表示すると指定し、画面下段右側部分に相当するデータ部分を、ユニットパネル１１ｉに表示すると指定する。
これにより、画像入力部４４を介して画像データを外部から受信すると、各ユニットパネル１１に各画面部分に相当する画像が表示されることになり、その結果、連続していると検出されたユニットパネル１１全体（例えば、表示パネル３０や表示パネル３２等）に１画面分の画像を表示することが可能になる。
【００３９】
このように、第１実施形態に係る画像表示装置１０によれば、ロボットアーム１２の先端にユニットパネル１１が各1つ取り付けられ、ユニットパネル１１の配置位置を移動させることが可能であるため、必要とする方向に画面を向けることが可能である。また、９枚のユニットパネル１１の全部又は一部が連続的に配置されることにより１の表示パネル３０又は表示パネル３２を形成している場合には、当該表示パネル３０又は表示パネル３２に、１画面分の画像を表示するため、1のユニットパネル１１に表示する画像に比して大型な画像を表示することができる。このように、画像表示装置１０によれば、各ユニットパネル１１を必要とする方向に向けることができ、且つ、必要な大きさの画像を表示することができ、各種イベントにおいても使い勝手のよいモニターとして使用することが可能になる。また、デパートやショーウィンドウ等に商品紹介用として設置するのにも、使い勝手のよいモニターとして使用することが可能になる。
【００４０】
また、第１実施形態に係る画像表示装置１０によれば、ユニットパネル１１を配置する位置が入力されると、ロボットアーム１２を動作させ、入力された位置に各ユニットパネル１１を配置するため、各ユニットパネル１１を正確に楽に所望の位置へ配置することができる。
【００４１】
［第２実施形態］
第２実施形態に係る画像表示装置は、画像サイズ設定処理が異なる以外は、第１実施形態と略同様の外観（図１〜図３、図５参照）及び回路構成等（図４参照）を有しているから、以下では、画像サイズ設定処理以外については、説明を省略することとする。また、第１実施形態に係る画像表示装置と対応する構成要素には同一の符号を付して説明することとする。
【００４２】
図７は、画像表示装置において行われる画面サイズ設定処理の他の一例を示すフローチャートである。
まず、ＣＰＵ４１は、パネル数情報を含む画像データを外部から受信すると（ステップＳ２０）、ロボットアーム１２を動作させ、当該パネル数情報が示す数のユニットパネル１１を連続的に配置して、１の表示パネルを形成する（ステップＳ２１）。例えば、ユニットパネル１１が図１に示す配置で画像を表示しているときに、１画面とするユニットパネル数「９」を示すパネル数情報を含む画像データを受信した場合には、ロボットアーム１２を動作させ、ユニットパネル１１を、図３（ｂ）に示す配置にする。
【００４３】
次に、ステップＳ２２において、ＣＰＵ４１は、画素変換テーブルを、パネル数情報に応じた画素変換テーブルに切り換える。これにより、受信した画像データを、画面のサイズに応じた画素データに変換することが可能になる。
【００４４】
次に、ステップＳ２３において、ＣＰＵ４１は、各ユニットパネル１１の配置位置に基づいて、各ユニットパネル１１に表示する画像部分（画素データの部分）を指定する。すなわち、画素データのどのデータ部分を、どのユニットパネル１１に表示するかを指定する。
これにより、各ユニットパネル１１に各画面部分に相当する画像が表示されることになり、その結果、パネル数情報が示す数のユニットパネル１１全体（表示パネル）に１画面分の画像を表示することが可能になる。
【００４５】
このように、第２実施形態に係る画像表示装置１０によれば、１画面とするユニットパネル数を示すパネル数情報を含む画像データを外部から受信すると、駆動部によりロボットアーム１２を動作させ、パネル数情報に応じた数のユニットパネル１１を連続的に配置して１の表示パネル（例えば、表示パネル３０や表示パネル３２）を形成する。すなわち、画像データを受信すると、自動的に１画面として表示すべき画面の大きさに合わせるように、ユニットパネル１１を移動させて配置する。従って、人手をとらずに適宜、ユニットパネル１１を移動して配置し、画像データに応じた大きさの画像を複数のユニットパネル１１（表示パネル３０や表示パネル３２等）に１画面として表示することが可能になる。また、例えば、複数の企業等に、当該企業等に係る画像を表示する時間枠を貸し出し、各時間枠毎に、各企業等が希望する大きさの画面サイズに変更して画像を表示するといったように、１の画像表示装置１０を用いて、時間帯毎に異なる画面サイズで画像を表示することが可能となる。
【００４６】
上述した実施形態では、画像入力部４４に、パーソナルコンピュータやパーソナルパーソナル・ディジタル・アシスタンツ等を接続し、これらの装置から画像データを受信する場合について説明したが、本発明における受信部は、画像データを外部から受信可能であれば、この例に限定されるものではなく、例えば、チューナー、復調器等を有していて、外部から画像データを含む放送データを受信することとしてもよい。
【００４７】
また、上述した本実施形態では、図１、図２（ａ）、図２（ｂ）に示すように画像入力部４４から入力された１の画像データに基づく画像を、複数のユニットパネル１１に夫々表示する場合について説明したが、本発明における受信部は、例えば、複数（例えば、９系統）の接続端子を備えていて、同時に複数の画像データを受信することとしてもよい。このように構成する場合、各接続端子から画像データが入力されると、予め各接続端子と対応付けられている、又は、操作部等を介して入力された操作に応じて対応付けられたユニットパネルに当該画像を表示することとすればよい。さらに、複数のユニットパネルを１の表示パネルとし、当該表示パネルに１画面分の画像を表示する場合には、どの接続端子からの画像を、どの表示パネルに表示するかについて、予め設定しておく、又は、操作部等を介して設定可能とすることとすればよい。
【００４８】
また、上述した実施形態では、支柱２０の上段、中段、下段に各３つ、合計９本のロボットアーム１２が設けられている場合について説明したが、本発明においてロボットアームが設けられる支柱の箇所は特に限定されない。また、本実施形態では、ロボットアーム１２が９本設けられている場合について説明したが、本発明においてアームは、９本に限定されない。また、本実施形態では、ユニットパネル１１が９枚である場合について説明したが、本発明においては９枚に限定されない。
また、上述した実施形態では、１の支柱２０にロボットアーム１２が設けられている場合について説明したが、本発明において支柱は、複数であってもよい。支柱が多い程、多数のアームを設け易くなり、また、画像表示装置が転倒してしまうことをより確実に防止することができるからである。
【００４９】
また、上述した実施形態では、ロボットアーム１２を備えていて、駆動部により動作させることが可能である場合について説明したが、本発明におけるアームはこの例に限定されず、例えば、駆動部を備えていなくともよく、手動でのみ移動させることが可能であってもよい。
【００５０】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５１】
【図１】画像表示装置の一例を模式的に示す斜視図である。
【図２】（ａ）、（ｂ）は、画像表示装置の一例を模式的に示す斜視図である。
【図３】（ａ）、（ｂ）は、画像表示装置の一例を模式的に示す斜視図である。
【図４】図１に示した画像表示装置の内部構成を示すブロック図である。
【図５】操作部が有する表示画面の一例を示す図である。
【図６】画像表示装置において行われる画面サイズ設定処理を示すフローチャートである。
【図７】画像表示装置において行われる画面サイズ設定処理の他の一例を示すフローチャートである。
【符号の説明】
【００５２】
１０  画像表示装置
１１（１１ａ、１１ｂ、１１ｃ、１１ｄ、１１ｅ、１１ｆ、１１ｇ、１１ｈ、１１ｉ）  ユニットパネル
１２  ロボットアーム
２０  支柱
３０、３２  表示パネル
４０  画像処理コントローラ
４１  ＣＰＵ
４２  ＲＯＭ
４３  ＲＡＭ
４４  画像入力部
４５  画像変換部
４６  フレームメモリ
４７  Ｄ／Ａ変換器
４８  操作部
４９  アーム駆動回路
６０  ケーブル
【図１】
2007279491.tif 000003
【図２】
2007279491.tif 000004
【図３】
2007279491.tif 000005
【図４】
2007279491.tif 000006
【図５】
2007279491.tif 000007
【図６】
2007279491.tif 000008
【図７】
2007279491.tif 000009